(57)【特許請求の範囲】
【請求項１】
コンデンサマイクロホンと、該コンデンサマイクロホンで発生する音声信号を増幅する増幅器と、該増幅器の入力端子と接地との間に接続される第１の逆並列接続ダイオードと、を備えるマイクロホン増幅装置において、
前記第１の逆並列接続ダイオードに第１の抵抗を直列接続し、且つ前記増幅器の前記入力端子と前記接地との間に第２の逆並列接続ダイオードを２以上直列接続し、
前記第１の抵抗によって、前記入力端子と前記接地との間の抵抗値を前記第１の逆並列接続ダイオードの抵抗値よりも大きくし、２以上の前記第２の逆並列接続ダイオードによって、前記入力端子と前記接地との間のＥＳＤ耐量を前記第１の逆並列接続ダイオードのＥＳＤ耐量よりも大きくしたことを特徴とするマイクロホン増幅装置。
【請求項２】
請求項１に記載のマイクロホン増幅装置において、
前記第２の逆並列接続ダイオードは、前記第１の逆並列接続ダイオードよりもサイズが大きく設定されていることを特徴とするマイクロホン増幅装置。
【発明の詳細な説明】
【技術分野】
【０００１】
本発明は、コンデンサマイクロホンと増幅器を備えたマイクロホン増幅装置に関する。
【背景技術】
【０００２】
図３に従来のマイクロホン増幅装置を示す。１０はコンデンサマイクロホン、２０は増幅器である。増幅器２０はコンデンサマイクロホン１０で発生した音声信号を増幅する。７０はＥＳＤ（Electro-Static Discharge：静電気放電）保護用に２個のダイオードを逆並列接続して構成した逆並列接続ダイオードである。このような逆並列接続ダイオードをＥＳＤ保護用に使用するマイクロホン増幅装置として、特許文献１、２に記載がある。
【０００３】
この逆並列接続ダイオード７０は、ＥＳＤ保護機能の他に、増幅器２０の入力端子２１を高抵抗にして増幅器２０にバイアスを与える働きをしている。抵抗ではなく逆並列接続ダイオード７０を使用する理由は、電源投入直後に比較的短時間で増幅器２０の入力端子２１のバイアスを安定化できること、全体を半導体装置で構成する場合に逆並列接続ダイオード７０の面積が小さくて済むことである。
【０００４】
ところで、マイクロホン増幅装置のノイズ成分は、増幅器２０自体で発生するノイズと逆並列接続ダイオード７０で発生するノイズの和となる。逆並列接続ダイオード７０で発生するノイズは、図４に示す電流／電圧特性図の０Ｖ付近のダイオード抵抗に依存し、その抵抗値が大きいほどノイズが大きくなる。
【０００５】
逆並列接続ダイオード７０の抵抗値が大きくなると、その抵抗成分とコンデンサマイクロホン１０の持っているキャパシタ成分とで構成されるフィルタのカットオフ周波数が低下するので、音声帯域のノイズを抑制して小さくすることができる。
【先行技術文献】
【特許文献】
【０００６】
【特許文献１】特開昭５７−５２１７５号公報
【特許文献２】特開２０１１−２３３９５４号公報
【発明の概要】
【発明が解決しようとする課題】
【０００７】
そこで、増幅器２０の入力抵抗を大きくするために逆並列接続ダイオード７０のサイズを小さくすることが考えられるが、そのようにすると、ＥＳＤ耐量が低下してしまい破壊し易くなるという問題があった。
【０００８】
本発明の目的は、ＥＳＤ耐量の低下を防止しながら増幅器の入力抵抗を大きくできるようにしたマイクロホン増幅装置を提供することである。
【課題を解決するための手段】
【０００９】
上記目的を達成するために、請求項１にかかる発明は、コンデンサマイクロホンと、該コンデンサマイクロホンで発生する音声信号を増幅する増幅器と、該増幅器の入力端子と接地との間に接続される第１の逆並列接続ダイオードと、を備えるマイクロホン増幅装置において、前記第１の逆並列接続ダイオードに第１の抵抗を直列接続し、且つ前記増幅器の前記入力端子と前記接地との間に第２の逆並列接続ダイオードを２以上直列接続し、前記第１の抵抗によって、前記入力端子と前記接地との間の抵抗値を前記第１の逆並列接続ダイオードの抵抗値よりも大きくし、２以上の前記第２の逆並列接続ダイオードによって、前記入力端子と前記接地との間のＥＳＤ耐量を前記第１の逆並列接続ダイオードのＥＳＤ耐量よりも大きくしたことを特徴とする。
【００１０】
請求項２にかかる発明は、請求項１に記載のマイクロホン増幅装置において、前記第２の逆並列接続ダイオードは、前記第１の逆並列接続ダイオードよりもサイズが大きく設定されていることを特徴とする。
【発明の効果】
【００１１】
本発明によれば、第１の逆並列接続ダイオードと第１の抵抗によって増幅器の入力抵抗を大きくし、２個以上並列接続した第２の逆並列接続ダイオードによってＥＳＤ耐量の低下を防止することができる。
【図面の簡単な説明】
【００１２】
【図１】本発明の１つの実施例のマイクロホン増幅装置の回路図である。
【図２】図１のマイクロホン増幅装置の増幅器の入力端子の電圧／電流特性図である。
【図３】従来のマイクロホン増幅装置の回路図である。
【図４】図３のマイクロホン増幅装置の増幅器の入力端子の電圧／電流特性図である。
【発明を実施するための形態】
【００１３】
図１に本発明の１つの実施例のマイクロホン増幅装置を示す。図３で説明したものと同じものには同じ符号をつけた。本実施例では、増幅器２０の入力端子２１と接地ＧＮＤとの間に、逆並列接続ダイオード３０に抵抗４０を直列接続した直列回路を接続している。さらに、増幅器２０の入力端子２１と接地ＧＮＤとの間に、逆並列接続ダイオード５０，６０を直列接続した直列回路を接続している。
【００１４】
逆並列接続ダイオード３０はサイズが小さく、図３で説明した逆並列接続ダイオード７０よりも高抵抗であり、図２のＡにその電流／電圧特性を示す。この逆並列接続ダイオード３０は抵抗４０と直列接続されており、増幅器２０の入力端子２１の電圧が高くなったときに、そこに流れる電流を抑制する。図２のＢに抵抗４０の電流／電圧特性を示す。
【００１５】
逆並列接続ダイオード５０，６０は逆並列接続ダイオード３０よりもサイズが大きく、単体の抵抗値は逆並列接続ダイオード３０よりも小さいが、直列接続することでオン電圧を高くし合計抵抗を大きくしている。図２のＣにその電流／電圧特性を示す。
【００１６】
図２のＤは、以上説明した電流／電圧特性Ａ，Ｂ，Ｃを合成した電流／電圧特性である。この特性で明らかなように、増幅器２０の入力端子２１と接地ＧＮＤとの間には、高抵抗で高いＥＳＤ耐量を備えた回路が接続されることになり、ＥＳＤ耐量を大きくしながら増幅器の入力抵抗を大きくすることができる。
【００１７】
つまり、逆並列接続ダイオード３０と抵抗４０によって増幅器２０の入力端子２１の抵抗を大きくし、逆並列接続ダイオード５０，６０によってＥＳＤ耐量を大きくすることができる。
【００１８】
なお、逆並列接続ダイオード３０と抵抗４０の接続順は逆であってもよい。また、上記では２個の逆並列接続ダイオード５０，６０を直列接続したが、直列接続する逆並列接続ダイオードは３個以上であってもよい。
【符号の説明】
【００１９】
１０：コンデンサマイクロホン
２０：増幅器、２１：入力端子
３０，５０，６０，７０：逆並列接続ダイオード
４０：抵抗
【図１】
0006686259.tif 000002
【図２】
0006686259.tif 000003
【図３】
0006686259.tif 000004
【図４】
0006686259.tif 000005